(57)【要約】【課題】  使用者又は保守者が直接端末に触れなくても端末のソフトウェアやデータを書き換えることを可能とする。【解決手段】  センター装置が、ダウンロード起動制御用信号を少なくとも無線回線を介して端末に送信するステップと、前記端末が、前記ダウンロード起動制御用信号を少なくとも前記無線回線を介して受信したならば、当該端末がダウンロード状態に遷移するステップと、前記端末が、当該端末がダウンロード状態に遷移したならば、状態切替え終了通知信号を少なくとも前記無線回線を介して前記センター装置に送信するステップと、前記センター装置が、前記状態切替え終了通知信号を少なくとも前記無線回線を介して受信したならば、ソフトウェア又はデータを少なくとも前記無線回線を介して前記端末に送信するステップと、前記端末が、前記ソフトウェア又は前記データを少なくとも前記無線回線を介して受信するステップと、を備える。【選択図】        図１
2005110304.tif 000002
【特許請求の範囲】
【請求項１】
少なくとも無線回線を介して信号を受信する手段と、
受信した前記信号がダウンロード起動制御用信号であるか否かを判定する手段と、
受信した前記信号が前記ダウンロード起動制御信号であるときに、当該端末をダウンロード状態に遷移させる手段と、
ダウンロード状態に遷移したならば、状態切替え終了通知信号を前記ダウンロード起動制御用信号の送信元に少なくとも前記無線回線を介して送信する手段と、
前記状態切替え終了通知信号を送信した後に、少なくとも前記無線回線を介してソフトウェア又はデータをダウンロードする手段と、
を備えることを特徴とする端末。
【請求項２】
請求項１に記載の端末において、前記ダウンロード起動制御用信号及び前記状態切替え終了通知信号は、サブアドレス、ＰＢ(Push Button；プッシュボタン)音又はＵＵＩ（User-to-user Information）として送信されることを特徴とする端末。
【請求項３】
ダウンロード起動制御用信号を少なくとも無線回線を介して端末に送信する手段と、
前記端末から少なくとも前記無線回線を介して状態切替え終了通知信号を受信したならば、前記端末がダウンロードすべきソフトウェア又はデータを少なくとも前記無線回線を介して前記端末に送信する手段と、
を備えることを特徴とするセンター装置。
【請求項４】
請求項３に記載のセンター装置において、前記ダウンロード起動制御用信号及び前記状態切替え終了通知信号は、サブアドレス、ＰＢ(Push Button；プッシュボタン)音又はＵＵＩ（User-to-user Information）として送信されることを特徴とするセンター装置。
【請求項５】
請求項１の端末及び請求項３に記載のセンター装置を備えることを特徴とする端末へのソフトウェア又はデータのダウンロード方式。
【請求項６】
請求項２の端末及び請求項４に記載のセンター装置を備えることを特徴とする端末へのソフトウェア又はデータのダウンロード方式。
【請求項７】
センター装置が、ダウンロード起動制御用信号を少なくとも無線回線を介して端末に送信するステップと、
前記端末が、前記ダウンロード起動制御用信号を少なくとも前記無線回線を介して受信したならば、当該端末がダウンロード状態に遷移するステップと、
前記端末が、当該端末がダウンロード状態に遷移したならば、状態切替え終了通知信号を少なくとも前記無線回線を介して前記センター装置に送信するステップと、
前記センター装置が、前記状態切替え終了通知信号を少なくとも前記無線回線を介して受信したならば、ソフトウェア又はデータを少なくとも前記無線回線を介して前記端末に送信するステップと、
前記端末が、前記ソフトウェア又は前記データを少なくとも前記無線回線を介して受信するステップと、
を備えることを特徴とする端末へのソフトウェア又はデータのダウンロード方法。
【請求項８】
請求項７に記載の端末へのソフトウェア又はデータのダウンロード方法において、
前記ダウンロード起動制御用信号及び前記状態切替え終了通知信号は、サブアドレス、ＰＢ(Push Button；プッシュボタン)音又はＵＵＩ（User-to-user Information）として送信されることを特徴とする端末へのソフトウェア又はデータのダウンロード方法。
【発明の詳細な説明】
【技術分野】
【０００１】
本発明は端末へのソフトウェア又はデータのダウンロード方式及びその方法に関し、特に、センター装置からの遠隔操作により端末へのソフトウェアやデータのダウンロードを行う方式及びその方法に関する。
【背景技術】
【０００２】
従来、端末等のソフトウェアの書き換えやデータの変更等を行うためには、保守者が、実際に端末を手に取り、端末にケーブルを接続して端末を外部から操作したり、端末自身に対して特殊な操作を行っている。
【特許文献１】特開２０００−２３６３７２号公報
【特許文献２】特開平１１−６５８５０号公報
【発明の開示】
【発明が解決しようとする課題】
【０００３】
しかし、近年登場しているガスメータ等のデータを収集するために設置されるＰＨＳ(Personal Handy-phone System)端末等は、ビルの隙間やビルの屋根等に設置されるため、このような端末のソフトウェアの書き換えやデータの変更を行うために端末を回収することが困難な場合がある。
【０００４】
本発明は使用者又は保守者が直接端末に触れなくても端末のソフトウェアやデータを書き換えることを可能とする端末へのソフトウェア又はデータのダウンロード方式及びその方法を提供することを目的とする。
【課題を解決するための手段】
【０００５】
本発明の第１の観点によれば、少なくとも無線回線を介して信号を受信する手段と、受信した前記信号がダウンロード起動制御用信号であるか否かを判定する手段と、受信した前記信号が前記ダウンロード起動制御信号であるときに、当該端末をダウンロード状態に遷移させる手段と、ダウンロード状態に遷移したならば、状態切替え終了通知信号を前記ダウンロード起動制御用信号の送信元に少なくとも前記無線回線を介して送信する手段と、前記状態切替え終了通知信号を送信した後に、少なくとも前記無線回線を介してソフトウェア又はデータをダウンロードする手段と、を備えることを特徴とする端末が提供される。
【０００６】
上記の端末において、前記ダウンロード起動制御用信号及び前記状態切替え終了通知信号は、サブアドレス、ＰＢ(Push Button；プッシュボタン)音又はＵＵＩ（User-to-user Information）として送信されるようにしてもよい。
【０００７】
本発明の第２の観点によれば、ダウンロード起動制御用信号を少なくとも無線回線を介して端末に送信する手段と、前記端末から少なくとも前記無線回線を介して状態切替え終了通知信号を受信したならば、前記端末がダウンロードすべきソフトウェア又はデータを少なくとも前記無線回線を介して前記端末に送信する手段と、を備えることを特徴とするセンター装置が提供される。
【０００８】
上記のセンター装置において、前記ダウンロード起動制御用信号及び前記状態切替え終了通知信号は、サブアドレス、ＰＢ(Push Button；プッシュボタン)音又はＵＵＩ（User-to-user Information）として送信されるようにしてもよい。
【０００９】
本発明の第３の観点によれば、上記の端末及び上記のセンター装置を備えることを特徴とする端末へのソフトウェア又はデータのダウンロード方式が提供される。
【００１０】
本発明の第４の観点によれば、センター装置が、ダウンロード起動制御用信号を少なくとも無線回線を介して端末に送信するステップと、前記端末が、前記ダウンロード起動制御用信号を少なくとも前記無線回線を介して受信したならば、当該端末がダウンロード状態に遷移するステップと、前記端末が、当該端末がダウンロード状態に遷移したならば、状態切替え終了通知信号を少なくとも前記無線回線を介して前記センター装置に送信するステップと、前記センター装置が、前記状態切替え終了通知信号を少なくとも前記無線回線を介して受信したならば、ソフトウェア又はデータを少なくとも前記無線回線を介して前記端末に送信するステップと、前記端末が、前記ソフトウェア又は前記データを少なくとも前記無線回線を介して受信するステップと、を備えることを特徴とする端末へのソフトウェア又はデータのダウンロード方法が提供される。
【００１１】
上記の端末へのソフトウェア又はデータのダウンロード方法において、前記ダウンロード起動制御用信号及び前記状態切替え終了通知信号は、サブアドレス、ＰＢ(Push Button；プッシュボタン)音又はＵＵＩ（User-to-user Information）として送信されるようにしてもよい。
【発明の効果】
【００１２】
本発明により、ダウンロード制御用信号を端末に送信することにより、端末を通常の運用状態からダウンロード可能な状態へ自動で切替えることができ、端末へのソフトウェアやデータ等のダウンロードが自動で行うことができる。そして、少なくとも無線回線を使用することにより、ソフトウェア書き換えやデータ変更が端末の保守を行っているセンター装置から一括して行うことができる。それにより、１台１台端末を回収することなく端末のソフトウェア又はデータを書き換えることができる。
【発明を実施するための最良の形態】
【００１３】
以下、図面を参照して本発明を実施するための最良の形態について詳細に説明する。
【００１４】
本発明はＰＨＳ端末等の携帯無線端末若しくはＩＳＤＮ端末、又は、近年出てきているガスメータ等のテレメータに接続されたＰＨＳ端末等のソフトウェアやデータ等を書き換えるにあたって、ダウンロード起動制御用信号を端末に送ることにより、端末を通常の運用状態からダウンロード可能な状態に自動で切替える方式である。本方式によりダウンロードされるソフトウェアやデータ等は、特に、ファームウェアとして用いられるものであってもよい。
【００１５】
本方式は、図１に示すような無線端末を使用するための一般的な構成、図２に示すような回線につながったＩＳＤＮ端末を使用する構成、又は、図３に示すテレメータ等に接続されたＰＨＳ端末の構成で使用する。
【００１６】
図１を参照すると、１はセンター装置、２は回線網、３は無線基地局、４は無線端末を示す。図２を参照すると、１はセンター装置、２は回線網、７はＩＳＤＮ端末を示す。図３を参照すると、１はセンター装置、２は回線網、３は無線基地局、１１は無線端末、１２はテレメータを示す。
【００１７】
図４は図１に示す端末４又は図３に示す端末１１のブロック図、図５は図２に示す端末７のブロック図を示す。図４又は図５において、端末４、１１又は７はメモリ１６に、ダウンロード起動制御用信号および状態切替え終了通知信号としてデータが登録してある。無線部１３又は回線部１８は、センター装置１から回線網２を介して信号を受け取り、制御部１４はその信号を端末４、１１又は７のメモリ１６に登録してあるデータと比較する。センター装置１からの信号があらかじめ登録してあるダウンロード起動制御用信号と一致するときは、端末４、１１又は７はセンター装置１からの信号がダウンロード起動制御用信号と判断する。従って、端末４、１１又は７はメモリ１６に蓄積してあるダウンロード状態に切替えるためのソフトウェアを起動して、端末４、１１又は７の状態をダウンロード状態に切替える。
【００１８】
ダウンロード状態への切替えが終了したら、端末４、１１又は７はメモリ１６から状態切替え終了通知信号を読み出し、無線部１３又は回線部１８から回線網２を介してセンター装置１へ状態切替え終了通知信号を通知する。センター装置１は、状態切替え終了通知信号を受け取ったならば、端末４、１１又は７がダウンロード状態への切替えを終了したと判断して、センター装置１は端末４、１１又は７へのソフトウェアやデータの送信を始める。端末４、１１又は７は、センター装置１から送られてきたソフトウェアやデータをダウンロードしてメモリ１６に記憶する。
【００１９】
具体的な実施例としては、ダウンロード起動制御用信号および状態切替え終了通知信号をサブアドレスとする方法がある。ここで、サブアドレスとは、電話番号と一緒に送信される付加情報を表す信号である。端末４、１１又は７のメモリ１６にダウンロード起動制御用信号としてサブアドレス「０００」、状態切替え終了通知信号としてサブアドレス「９９９」を登録しておく。ダウンロードを行うためにセンター装置１から回線網２を介して端末１６又は２１に着信をかけ、サブアドレス「０００」を端末４、１１又は７に送る。端末１６又は２１は無線部１３又は回線部１８にて、サブアドレス「０００」を受け取る。受け取ったサブアドレスを制御部１４にて、メモリ１６にあらかじめ登録してあるサブアドレスと比較する。比較した結果、受け取ったサブアドレス「０００」がダウンロード起動制御用サブアドレス「０００」と一致するため、端末４、１１又は７はセンター装置１からのサブアドレスをダウンロード状態への変更要求と判断する。次に、端末４、１１又は７はメモリ１６からダウンロード状態に切替えるソフトを起動する。そして、端末４、１１又は７は状態の切替えが終了しだい、センター装置１に着信をかけ状態切替え完了を意味する信号のサブアドレス「９９９」をメモリ１６から読み出しセンター装置１に送る。サブアドレス「９９９」を受け取ったセンター装置は端末４、１１又は７がダウンロード状態への切替えが終了したと判断し、端末４、１１又は７へのソフトウェア又はデータの送信を開始する。端末４、１１又は７は、センター装置１から送られてきたソフトウェアやデータをダウンロードしてメモリ１６に記憶する。
【００２０】
上述の実施例ではサブアドレスをダウンロード起動制御用信号および状態切替え終了通知信号としたが、ＰＢ(Push Button；プッシュボタン)音又はＵＵＩ（User-to-user Information）等をダウンロード起動制御用信号および状態切替え終了通知信号とする方法も可能である。ここで、ＰＢ音とは、端末の押されたボタンの音である。また、ＵＵＩとは、ＩＳＤＮのＤチャネルを使ってユーザー間で１２８オクテット（バイト）以下の短いメッセージをやりとりする機能である。
【産業上の利用可能性】
【００２１】
本発明は、ソフトウェア又はデータを端末にダウンロードするために利用することができる。
【図面の簡単な説明】
【００２２】
【図１】本発明の実施形態による端末が無線端末である場合の端末へのソフトウェア又はデータのダウンロード方式の構成を示すブロック図である。
【図２】本発明の実施形態による端末がＩＳＤＮ端末である場合の端末へのソフトウェア又はデータのダウンロード方式の構成を示すブロック図である。
【図３】本発明の実施形態による端末がテレメータに接続された無線端末である場合の端末へのソフトウェア又はデータのダウンロード方式の構成を示すブロック図である。
【図４】本発明の実施形態による無線端末の構成を示すブロック図である。
【図５】本発明の実施形態によるＩＳＤＮ端末の構成を示すブロック図である。
【符号の説明】
【００２３】
１  センター装置
２  回線網
３  無線基地局
４  無線端末
７  ＩＳＤＮ端末
１１  無線端末
１２  テレメーター
１３  無線部
１４  制御部
１５  操作部
１６  メモリ
１８  回線部
【図１】
2005110304.tif 000003
【図２】
2005110304.tif 000004
【図３】
2005110304.tif 000005
【図４】
2005110304.tif 000006
【図５】
2005110304.tif 000007